(57)【要約】【課題】着座感を満たしつつクッション性を長期間保持するとともに、重量の増加を抑制可能な乗物用シートを提供すること。【解決手段】クッションフレーム２０と、少なくともその一部がクッションフレーム２０の上方に配置されるパッドと、前後に掛け渡すように配置されておりパッドを下方から支えるパッド支持部材６と、を有する乗物用シートであって、パッド支持部材６は、金属製のワイヤで弾性変形可能に形成された前側弾性変形部６２と、前側弾性変形部６２よりも後方に配置され金属製のワイヤで弾性変形可能に形成された後側弾性変形部６３と、前側弾性変形部６２と後側弾性変形部６３の双方と接続される樹脂製の板状体として構成される中間受け部６１と、を備えている構成とする。【選択図】図３
2015003576.tif 000002
【特許請求の範囲】
【請求項１】
クッションフレームと、少なくともその一部がクッションフレームの上方に配置されるパッドと、前後に掛け渡すように配置されておりパッドを下方から支えるパッド支持部材と、を有する乗物用シートであって、
パッド支持部材は、金属製のワイヤで弾性変形可能に形成された前側弾性変形部と、前側弾性変形部よりも後方に配置され金属製のワイヤで弾性変形可能に形成された後側弾性変形部と、前側弾性変形部と後側弾性変形部の双方と接続される樹脂製の板状体として構成される中間受け部と、を備えていることを特徴とする乗物用シート。
【請求項２】
請求項１に記載の乗物用シートであって、
パッド支持部材は、前側弾性変形部と後側弾性変形部がクッションフレームと係合するように掛け渡されており、前側弾性変形部と後側弾性変形部はクッションフレームに対して中間受け部を吊り下げる役割を担うことを特徴とする乗物用シート。
【請求項３】
請求項１又は２に記載の乗物用シートであって、
中間受け部には、保持部材を取り付け可能な保持部材取り付け孔を備えていることを特徴とする乗物用シート。
【発明の詳細な説明】
【技術分野】
【０００１】
本発明は、乗物用シートに関する。詳しくは、乗物用シートのクッションフレームに関する。
【背景技術】
【０００２】
従来から、乗物用シートのシートクッションにパッドなどを支持する支持部材を設けることが広く知られている。例えば、フレームに掛け渡された板状のクッションパンによりパッドを支持することが知られている。当該構成の場合、クッションパン自体にはクッション性が無く、クッション性はパッドにより確保されている。しかしながら、パッドは長期間使用されると、圧縮された状態から回復することが困難になるため、クッション性が劣化しやすい。つまり、クッション性を長期間保つという点に関しては改善の余地があった。
また、フレームに掛け渡したスプリングによりパッドを支持することも知られている。当該構成であると、クッション性はパッド及びスプリングにより保たれる。そのため、クッション性という点においては良いが、着座したときにしっかりと固定されている感じを受けることができにくく、いわゆる着座感については改善の余地があった。
また、板状体とスプリングを併せて使用する技術が特許文献１に記載されている。具体的には、特許文献１には、スプリングの上にクリップ止めした板状体にソケットを設けることで車載電源網の配線に寄与することができる技術が記載されている。特許文献１が開示しようとしている技術の観点とは異なるが、このような形態であれば着座感とクッション性を両立させることが可能となることが予想される。
【先行技術文献】
【特許文献】
【０００３】
【特許文献１】特許３４９８２６２号公報
【発明の概要】
【発明が解決しようとする課題】
【０００４】
しかしながら、特許文献１に記載された技術にも、なお改良の余地がある。特許文献１に記載の技術においては、成形された線からなるスプリングの上に板状体を載置する構成であるため、板状体が載置されている部分においては、スプリングの重量も板状体の重量も加算されることが不可避なものであり、重量という点においては改善すべき点があった。
【０００５】
本発明は、上記した点に鑑みて創案されたものであって、本発明が解決しようとする課題は、着座感を満たしつつクッション性を長期間保持するとともに、重量の増加を抑制可能な乗物用シートを提供することにある。
【課題を解決するための手段】
【０００６】
上記課題を解決するために、本発明は次の手段をとる。
先ず、第１の発明は、クッションフレームと、少なくともその一部がクッションフレームの上方に配置されるパッドと、前後に掛け渡すように配置されておりパッドを下方から支えるパッド支持部材と、を有する乗物用シートであって、パッド支持部材は、金属製のワイヤで弾性変形可能に形成された前側弾性変形部と、前側弾性変形部よりも後方に配置され金属製のワイヤで弾性変形可能に形成された後側弾性変形部と、前側弾性変形部と後側弾性変形部の双方と接続される樹脂製の板状体として構成される中間受け部と、を備えていることを特徴とする。
【０００７】
この第１の発明によれば、クッションフレームと、少なくともその一部がクッションフレームの上方に配置されるパッドと、前後に掛け渡すように配置されておりパッドを下方から支えるパッド支持部材と、を有する乗物用シートに関し、パッド支持部材は、金属製のワイヤで弾性変形可能に形成された前側弾性変形部と、前側弾性変形部よりも後方に配置され金属製のワイヤで弾性変形可能に形成された後側弾性変形部と、前側弾性変形部と後側弾性変形部の双方と接続される樹脂製の板状体として構成される中間受け部と、を備えている。このため、着座感を満たしつつクッション性を長期間保持するとともに、重量の増加を抑制することが可能となる。
【０００８】
第２の発明は、第１の発明において、パッド支持部材は、前側弾性変形部と後側弾性変形部がクッションフレームと係合するように掛け渡されており、前側弾性変形部と後側弾性変形部はクッションフレームに対して中間受け部を吊り下げる役割を担うことを特徴とする。
【０００９】
この第２の発明によれば、パッド支持部材は、前側弾性変形部と後側弾性変形部がクッションフレームと係合するように掛け渡されており、前側弾性変形部と後側弾性変形部はクッションフレームに対して中間受け部を吊り下げる役割を担う。そのため、前側弾性変形部と中間受け部と後側弾性変形部が水平方向に面を形成するように並列配置されているような状態と異なり、中間受け部が下方に変位しやすい。したがって、着座による荷重を受けても中間受け部が変形することを抑制することが可能となる。
【００１０】
第３の発明は、第１又は第２の発明において、中間受け部には、保持部材を取り付け可能な保持部材取り付け孔を備えていることを特徴とする。
【００１１】
この第３の発明によれば、中間受け部には、クランプなどの保持部材を取り付け可能な保持部材取り付け孔を備えているため、保持部材を取り付けることにより、ワイヤーハーネスなどの電気配線を掛け渡すことが可能となる。
【発明の効果】
【００１２】
本発明によれば、着座感を満たしつつクッション性を長期間保持するとともに、重量の増加を抑制可能な乗物用シートを提供することが可能となる。
【図面の簡単な説明】
【００１３】
【図１】パッド支持部材をシートクッションに配置した状態を示す斜視図である。
【図２】本発明のパッド支持部材を示した図である。
【図３】本発明のシートクッション周りの分解斜視図である。
【発明を実施するための形態】
【００１４】
以下に、本発明を実施するための形態について、適宜図面を用いながら説明する。
なお、本明細書における前後方向、上下方向、左右方向などの方向は、図１に示したＸが前方向、Ｙが左方向、Ｚが上方向と規定される。例えば、通常、乗員が着座した際に視界に入るほうが前方で、視界に入らない後頭部側が後方となる。
本実施の形態の乗物用シート１は、車両に用いられる乗物用シート１であり、運転席又は助手席となるフロントシートである。また、当該乗物用シート１は、図示しないヘッドレストと、乗員の背凭れ部となるシートバック３と、着座面を形成するシートクッション２を備えている。シートバック３とシートクッション２は、主として金属で構成されたフレームを骨格として使用している。シートクッション２のフレームであるクッションフレーム２０は、シートバック３のフレームであるバックフレーム３０に対して接続される構成である。
【００１５】
シートクッション２のフレームであるクッションフレーム２０は、その左右位置において前後方向に延びるロアアーム２１を有している。当該ロアアーム２１は、その後側において略円筒形状のリアロッド２３が回動可能に接続されている。また、その前側において略円筒形状のフロントロッド２２が回動可能に接続されている。また、ロアアーム２１の前側部にはフロントパネル２５が接続されており、ロアアーム２１の後端にはプレート部材であるリクライニングプレート２４が接続されている。このようにフロントロッド２２やロアアーム２１やリアロッド２３などが接続されることによりクッションフレーム２０が形成されている（図１参照）。また、クッションフレーム２０は、床面Ｆに対して前後及び上下に移動可能な構成となっている。
なお、リクライニングプレート２４は、バックフレーム３０と回動可能に接続されている。そして、リクライニングプレート２４とバックフレーム３０とがなす角度を設定するために使用されるリクライナー（図示せず）も設けられている。
クッションフレーム２０の上方には、少なくともパッド（図示せず）の一部が配置されている。当該パッドは表皮（図示せず）によって圧迫された状態でフレームに固定されている。
本実施の形態の乗物用シート１には、パッドを支持するパッド支持部材６をクッションフレーム２０とは別に備えている。また、当該パッド支持部材６は、ロアアーム２１に回動可能に支持されているフロントロッド２２とリアロッド２３に掛け渡すように、配置している。
【００１６】
次に、パッド支持部材６について説明する。
パッド支持部材６はパッドなどを介して着座者の着座面周囲を支持する部位であり、前後に掛け渡すように配置されている。つまり、パッド支持部材６に対して前後方向に張力が働くように固定配置されている。
パッド支持部材６は前側の部分を構成する前側弾性変形部６２と、後側の部分を構成する後側弾性変形部６３と、前側弾性変形部６２と後側弾性変形部６３の間の部分を構成する中間受け部６１と、を備えている。なお、前側弾性変形部６２と後側弾性変形部６３とは、その撓み方が異なるものを採用している。
パッド支持部材６のうち、主に着座者の臀部の真下に位置することになる中間受け部６１は、樹脂で構成された板状体である。当該中間受け部６１は着座者からの荷重を受けても、自身の形態を保持可能な剛性を持つものである。中間受け部６１の形状は、図２に示すように平たい板を前後２箇所で折り曲げたような形状であり、その中央に位置する中央樹脂部位６１１は、主として着座者の坐骨周りを支持することになる部分である。当該中央樹脂部位６１１は、略水平に配置される部位である。なお、中央樹脂部位６１１には通気可能なように、円形状の通気孔部７７を設けている。
フロントロッド２２とリアロッド２３との間において、やや下方の位置に中央樹脂部位６１１が配置されることを可能とするため、中間受け部６１には中央樹脂部位６１１から前方向に傾斜するように延びる前側樹脂部位６１２と中央樹脂部位６１１から後方向に傾斜するように延びる後側樹脂部位６１３とを備えている。
前側樹脂部位６１２は、前側弾性変形部６２と接続されており、後側樹脂部位６１３は後側弾性変形部６３と接続されている。
【００１７】
本実施の形態においては、図２に示すように、棒状の金属製のワイヤを二つ用いて、前側弾性変形部６２を構成している。
前側弾性変形部６２は、弾性力のある面状の部位を有するように、棒状のワイヤを折り曲げて形成している。具体的には、棒状のワイヤを蛇行させることでパッドを面で受けることが可能な形態としている。
棒状のワイヤの一端及び他端には、フロントロッド２２と係合可能な部位である前側係合曲げ部位６２１を備えている。前側係合曲げ部位６２１は、略弧を描くようにフック状に形成されており、フロントロッド２２に対して周方向に沿うように係合可能とした構成である。
棒状のワイヤにおける中央部分の部位が前側樹脂部位６１２と接続される構成である。この前側樹脂部位６１２と接続される部位と前側係合曲げ部位６２１との間に、弾性力のある面状の部位を形成している。
なお、本実施の形態においては、棒状のワイヤと前側樹脂部位６１２との接続は、一体成形を行うことにより達成している。接続手段はこれだけに限らず、棒状のワイヤを樹脂部材に嵌め合わせるなど、係合による接続とすることも可能である。
【００１８】
図２に示すように、本実施の形態においては、金属製の環状のワイヤを二つ用いて、後側弾性変形部６３を構成している。
後側弾性変形部６３は、弾性力のある面状の部位を有するように、環状のワイヤを折り曲げて形成している。具体的には、環状のワイヤの一部を蛇行させることでパッドを面で受けることが可能な形態としている。
環状のワイヤの一端側には、リアロッド２３と係合可能な部位である後側係合曲げ部位６３１を備えている。後側係合曲げ部位６３１は、略弧を描くようにフック状に形成されており、リアロッド２３に対して周方向に沿うように係合可能とした構成である。
環状のワイヤにおける他端側の部位が後側樹脂部位６１３と接続される構成である。この後側樹脂部位６１３と接続される部位と後側係合曲げ部位６３１との間に、弾性力のある面状の部位を形成している。
本実施の形態においては、環状のワイヤと後側樹脂部位６１３との接続は、一体成形を行うことにより達成している。接続手段はこれだけに限らず、環状のワイヤを樹脂部材に嵌め合わせるなど、係合による接続とすることも可能である。
【００１９】
パッド支持部材６には、図示しない保持部材を取り付け可能な保持部材取り付け孔９１を備えている。当該保持部材取り付け孔９１は、パッドと接触する面に設けた凹部の一部に穿設した貫通孔として形成されている（図２参照）。当該保持部材取り付け孔９１に対して保持部材が挿入されて、固定可能とされている。保持部材取り付け孔９１は、凹部の一部に穿設した貫通孔により形成されていることから、保持部材が取り付けられた状態においても凹部内に保持部材の頭部を収めることが可能となる。そのため、パッドと保持部材との接触を抑制することが可能となる。
また、本実施の形態のパッド支持部材６においては、前後及び左右方向に複数の保持部材取り付け孔９１を備えている。当該保持部材取り付け孔９１に設けられた保持部材により、電気配線に使用されるワイヤーハーネスなどを固定することが可能であり、配索ルートを定めることが可能となる。
特に、本実施の形態においては、乗員が着座してもほとんど変形しないほどの剛性を有する中間受け部６１であるため、当該保持部材間においては、保持部材間の長さと当該部分に配索されるワイヤーハーネスの長さを略同一とすることが可能である。これは、中間受け部６１の変形に起因してワイヤーハーネスが引っ張られる事態が発生することを抑制することが可能だからである。
【００２０】
本実施の形態においては、図２に示すパッド支持部材６に対して、図３に示すように前側摺接部材７１と後側摺接部材７２とを付設する。
前側摺接部材７１は、前側係合曲げ部位６２１が係止することを可能とするために前側係止部位７１１を備えている。前側係止部位７１１は前側係合曲げ部位６２１を嵌め合わせて固定することが可能な前側係止溝を備えた構成である。前側係止部位７１１とフロントロッド２２とが接する面積を抑制するために、前側係止部位７１１の裏面には、フロントロッド２２の周方向に沿わせた複数の突部を設けており、当該複数の突部により摺接面を形成している。
また、前側係止部位７１１同士の左右方向の間隔を保持するために前側間隔保持部位７１２を設けている。前側間隔保持部材７１２はフロントロッド２２の周に沿うように、断面視弧状の形状としている。
【００２１】
後側摺接部材７２は、後側係合曲げ部位６３１が係止することを可能とするために後側係止部位７２１を備えている。後側係止部位７２１は後側係合曲げ部位６３１を嵌め合わせて固定することが可能な後側係止溝を備えた構成である。後側係止部位７２１とリアロッド２３とが接する面積を抑制するために、後側係止部位７２１の裏面には、リアロッド２３の周方向に沿わせた複数の突部を設けており、当該複数の突部により摺接面を形成している。
また、後側係止部位７２１同士の左右方向の間隔を保持するために後側間隔保持部位７２２を設けている。後側間隔保持部材７２２はリアロッド２３の周に沿うように、断面視弧状の形状としている。
当該後側摺接部材７２を、リアロッド２３に嵌めあわせる位置を定めるために、リアロッド２３には二つの位置決め突部７９を設けている（図３参照）。位置決め突部７９は、後側摺接部材７２の左右方向の位置を定めることになるので、パッド支持部材６全体の左右方向の位置を定めることになる。
【００２２】
次に、乗物用シート１にパッド支持部材６を組み込む工程、及び、パッド支持部材６上にパッドを配置する工程を説明する。
パッド支持部材６に前側摺接部材７１と後側摺接部材７２を取り付ける。また、パッド支持部材６に図示しない保持部材を取り付け、保持部材に対し、電気配線であるワイヤーハーネスを取り付ける。ワイヤーハーネスは、シートクッション２の前後方向の長さと同程度のものであり、その両端が他の電気部品と接続されていないものである。
この状態のパッド支持部材６について前側摺接部材７１をフロントロッド２２に取り付け、後側摺接部材７２をリアロッド２３に取り付けることで、前側摺接部材７１及び後側摺接部材７２を介してパッド支持部材６をシートクッション２の一部として組み込む。
この状態においては、パッド支持部材６は、前側弾性変形部６２と後側弾性変形部６３がクッションフレーム２０と係合するように掛け渡されることになる。また、中間受け部６１が底面を形成し、前側弾性変形部６２と後側弾性変形部６３が側面を形成するような構成となるため、前側弾性変形部６２と後側弾性変形部６３は、クッションフレーム２０に対して中間受け部６１を吊り下げる役割を担うことになる。
パッド支持部材６が取り付けられたクッションフレーム２０に対して、その上方にパッドを配置する。パッドは上面側を表皮で覆われた状態で締め付けるように固定される。
なお、ワイヤーハーネスの両端は他の電気部品などに接続させることにより、通電可能な状態とする。
【００２３】
本実施の形態の乗物用シート１であると、着座感の確保とクッション性の保持と重量の軽減を達成することが可能となる。特に、前側弾性変形部６２及び後側弾性変形部６３は金属性のワイヤであるため、部材の体積を増やさずに、適切な剛性を保つことが可能である。また、しっかりとした支持面として形成する板状体が樹脂製であるため、軽量化が図られる。したがって、適切な剛性を保ちつつ軽量化を図ることが可能となる。
また、パッド支持部材６がフロントロッド２２とリアロッド２３に掛け渡すように、配置されていることから、中間受け部６１を前後方向に長く形成することが可能となる。そのため、着座者の坐骨位置の下方に中間受け部６１が位置することになり易い。したがって、着座位置の個人差があっても、着座感の良さを感じやすくなる。
また、前側弾性変形部６２が形成するパッドの支持面は後方になるほど下がるように緩やかに傾斜しているため、前側弾性変形部６２により着座者の大腿部周りを適切に支持することが可能である。
また、中間受け部６１が前後方向で支えられているため、支えるための部材が中間受け部６１の左右方向に配設されていない。したがって、中間受け部６１の左右幅方向を大きくすることが可能となり、着座者を適切に支持することがしやすくなる。
また、剛性度の高いパッド支持部材６に付設した保持部材により電気配線を保持する形態を採用しているため、保持部材間の電気配線を撓ませて配索する必要性が無く、シート下部が有効に利用できる。また、電気配線が床面に擦れて損傷することを抑制することも可能である。
また、シートクッション２の真下に配索する電気配線について、乗物用シートを乗物に設置する前に予め配索しておくことが可能であるため、電気配線の配索を容易にすることが可能である。また、電気配線を配索するタイミングの自由度を高めることも可能である。
また、フロントロッド２２及びリアロッド２３の周方向にパッド支持部材６を沿わせるように係合させる構成としていることから、その周方向に摺動可能である。例えば、乗員が着座した際にパッド支持部材６の中間受け部６１が下方に押し下げられた際にも、パッド支持部材６がフロントロッド２２及びリアロッド２３との係合状態を保ったまま摺動可能である。そのため、係合部分が無理に折り曲げられる状態となることが無く、過度な負荷がかかることを抑制することが可能となる。また、回動するフロントロッド２２及びリアロッド２３に対して係合させることが可能であり、パッド支持部材６を支持するために新たな部材を設けなくとも設置が可能である。
また、前側弾性変形部６２及び後側弾性変形部６３が弾性変形することにより、クッション性をもたらすため、パッドを比較的薄くすることも可能である。
また、通常の着座による荷重では中間受け部６１が撓まないため、中間受け部６１の下方のスペースを有効に利用することが可能である。
なお、板状体の中間受け部６１の前側に配設する前側弾性変形部６２と、板状体の中間受け部６１の後側に配設する後側弾性変形部６３とが別体で形成されている構成であるため、板状体の前側や後側の弾性力を調整することが比較的容易に行える。つまり、板状体の中間受け部６１の後側が沈み込みやすい態様や、板状体の中間受け部６１の前側が沈み込みやすい態様などにすることが比較的容易に行える。
【００２４】
以上、１つの実施形態について説明したが、本発明は、上記実施形態のほか、その他各種の形態で実施可能なものである。
例えば、実施の形態においては、前側弾性変形部をフロントロッドに係合させているが、フロントパネルに係合させることやその他の部位に係号させることも可能である。
また、後側弾性変形部をリアロッドに係合させる構成とせずに、後側弾性変形部を支持するためだけの部材に対して係合させる構成とすることも可能である。
また、実施の形態においては、パッド支持部材の裏面に電気配線を施しているが、パッド支持部材の裏面に電気配線を配索しないものとしてもよい。その際、保持部材取り付け孔には何も取り付けないようにすることも可能であるし、保持部材取り付け孔を塞ぐための部材を取り付けることも可能である。更には、保持部材取り付け孔を設けない構成とすることも可能である。
また、本実施の形態においては、中間受け部における中央樹脂部位と、前側樹脂部位又は後側樹脂部位とがなす相対角度は固定化されているものであるが、相対角度が変化しやすいように境界部分を屈曲可能に構成することも可能である。また、中間受け部は全体を平らなプレート形状とすることも可能である。
また、本実施の形態においては、フロントロッドやリアロッドが回動可能な形態であるが、回動しない形態とすることも可能である。
本実施の形態における金属製のワイヤに関し、環状のものを棒状にすることや、棒状のものを環状とすることも可能である。また、前後２つずつ配設するに限らず、１つ若しくは３つ以上とすることも可能であるし、前側に配置した金属製のワイヤの数と、後側に配置した金属製のワイヤの数を異なるものとすることも可能である。
また、乗物としては、車両であることに限らず、飛行機やヘリコプターなど空中を飛行する乗物や、船舶や潜水艇など海面や海中などを移動する乗物としてもよい。
【符号の説明】
【００２５】
１      乗物用シート
２      シートクッション
３      シートバック
６      パッド支持部材
２０    クッションフレーム
２１    ロアアーム
２２    フロントロッド
２３    リアロッド
６１    中間受け部
６２    前側弾性変形部
６３    後側弾性変形部
９１    保持部材取り付け孔
【図１】
2015003576.tif 000003
【図２】
2015003576.tif 000004
【図３】
2015003576.tif 000005